(57)【要約】【課題】被洗浄物に付着した油等の汚れを確実に除去することができる洗浄ノズル及びこの洗浄ノズルを備えた安価な洗浄装置を提供する。【解決手段】下端側開口であるエアー噴射口５７は斜め下方（図では上方）を向くように曲げられている。従って、エアー噴射口５７から噴射されたエアーによって、洗浄ノズル５の回転ヘッド１１５が時計回りまたは反時計回りの方向に回転し、その下側に渦状の気流を発生させる。水噴射口９５から噴射された水はその渦状の気流に巻き込まれ、渦状の水流となって落下しコンテナＣに衝突する。従って、コンテナＣが洗浄ノズル５の下側を通るときには、コンテナＣの内側の底面や側面のようなところにも水が衝突してしっかり洗浄される。【選択図】        図６
2011020077.tif 000002
【特許請求の範囲】
【請求項１】
回転自在に支持された回転ヘッドと、前記回転ヘッドに設けられたエアー噴射口と、前記回転ヘッドに設けられた水噴射口とを備え、前記エアー噴射口から噴射されたエアーによって前記回転ヘッドを回転させて渦状の気流を発生させ、前記水噴射口から噴射された水を前記渦状の気流に巻き込ませて被洗浄物に衝突させることを特徴とする洗浄ノズル。
【請求項２】
請求項１に記載した洗浄ノズルにおいて、
水噴射口は、回転ヘッドが回転することによってエアー噴射口が描く円形の軌道に囲まれた領域内に配置されていることを特徴とする洗浄ノズル。
【請求項３】
請求項１または２に記載した洗浄ノズルと、前記洗浄ノズルのエアー噴射口から噴射させるエアーを供給するエアー供給手段と、前記洗浄ノズルの水噴射口から噴射させる水を供給する水供給手段とを備え、洗浄時には、前記エアー供給手段から供給されたエアーによる渦状の気流に前記水供給手段から供給された水を巻き込ませた上で被洗浄物に衝突させ、乾燥時には、前記エアー供給手段から供給されたエアーによる渦状の気流をそのまま被洗浄物に衝突させることを特徴とする洗浄装置。
【請求項４】
請求項３に記載した洗浄装置において、
被洗浄物の搬送方向へ直列配置された複数の洗浄ノズルを備え、前記搬送方向に隣り合う洗浄ノズルの回転ヘッドは互いに異なる方向に回転することを特徴とする洗浄装置。
【請求項５】
請求項４に記載した洗浄装置において、
被洗浄物の搬送方向へ直列及び並列配置された複数の洗浄ノズルを備え、並列方向では回転ヘッドは端部側が重なりながら互い違いになっていることを特徴とする洗浄装置。
【発明の詳細な説明】
【技術分野】
【０００１】
本発明は洗浄ノズル及びこの洗浄ノズルを備えた洗浄装置に係り、特にエアーと水の両方を噴射する洗浄ノズル及びこの洗浄ノズルを備えた洗浄装置に関するものである。
【背景技術】
【０００２】
機械類を製造する工場等においては、機械部品の保管、搬送にコンテナが用いられているが、このコンテナの内面は防錆剤や切削油が付着するなどして短期間で汚れてしまう。
また、機械部品のうち特に切削加工して製作されるものには、切削屑や切削油が付着することになる。
このようなコンテナや機械部品等の被洗浄物を洗浄して、被洗浄物に付着した防錆剤、切削油、切削屑等の汚れを除去するために、洗浄装置が用いられている。
【０００３】
この種の洗浄装置には特許文献１に記載されたものがある。この洗浄装置は、温水を上下方向から真っ直ぐに被洗浄物に向けて高圧噴霧して、被洗浄物に付着した加工油を脱脂洗浄する。そして乾燥装置で温風を吹き付けて被洗浄物を乾燥させる。
また、従来の洗浄装置は、水を高圧で噴霧するための高水圧用ポンプが設けられており、更に被洗浄物の除水効率を高めるために水を適温に加熱するためのヒーターが設けられている。
【先行技術文献】
【特許文献】
【０００４】
【特許文献１】特開２００４−１６９０５３号公報
【発明の概要】
【発明が解決しようとする課題】
【０００５】
しかしながら、従来の洗浄装置は、水を略真っ直ぐに噴射させる構造のノズルが用いられているため、コンテナの内側面や機械部品の雌ネジ穴の内周面等には水が当たらず、汚れを完全に除去できないという問題がある。
また、従来の洗浄装置は、被洗浄物を乾燥させるための乾燥装置、更に高水圧用ポンプ、ヒーターを備えているため、どうしてもコストが高くなってしまうという問題がある。
【０００６】
本発明は上記従来の問題点に着目して為されたものであり、被洗浄物に付着した汚れを確実に除去することができる洗浄ノズル及びこの洗浄ノズルを備えた安価な洗浄装置を提供することを、その目的とする。
【課題を解決するための手段】
【０００７】
本発明は上記課題を解決するためになされたものであり、請求項１の発明は、回転自在に支持された回転ヘッドと、前記回転ヘッドに設けられたエアー噴射口と、前記回転ヘッドに設けられた水噴射口とを備え、前記エアー噴射口から噴射されたエアーによって前記回転ヘッドを回転させて渦状の気流を発生させ、前記水噴射口から噴射された水を前記渦状の気流に巻き込ませて被洗浄物に衝突させることを特徴とする洗浄ノズルである。
【０００８】
請求項２の発明は、請求項１に記載した洗浄ノズルにおいて、水噴射口は、回転ヘッドが回転することによってエアー噴射口が描く円形の軌道ｘに囲まれた領域内に配置されていることを特徴とする洗浄ノズルである。
【０００９】
請求項３の発明は、請求項１または２に記載した洗浄ノズルと、前記洗浄ノズルのエアー噴射口から噴射させるエアーを供給するエアー供給手段と、前記洗浄ノズルの水噴射口から噴射させる水を供給する水供給手段とを備え、洗浄時には、前記エアー供給手段から供給されたエアーによる渦状の気流に前記水供給手段から供給された水を巻き込ませた上で被洗浄物に衝突させ、乾燥時には、前記エアー供給手段から供給されたエアーによる渦状の気流をそのまま被洗浄物に衝突させることを特徴とする洗浄装置である。
【００１０】
請求項４の発明は、請求項３に記載した洗浄装置において、被洗浄物の搬送方向へ直列配置された複数の洗浄ノズルを備え、前記搬送方向に隣り合う洗浄ノズルの回転ヘッドは互いに異なる方向に回転することを特徴とする洗浄装置である。
【００１１】
請求項５の発明は、請求項４に記載した洗浄装置において、被洗浄物の搬送方向へ直列及び並列配置された複数の洗浄ノズルを備え、並列方向では回転ヘッドは端部側が重なりながら互い違いになっていることを特徴とする洗浄装置である。
【発明の効果】
【００１２】
本発明の洗浄ノズルによれば、被洗浄物に付着した油等の汚れを確実に除去することができる。
本発明の洗浄ノズルを備えた洗浄装置によれば、乾燥装置、高水圧用ポンプ及びヒーターを設ける必要がないため、コストを低く抑えることが可能となる。
【図面の簡単な説明】
【００１３】
【図１】本発明の第1の実施の形態に係る洗浄装置の正面図である。
【図２】図１の洗浄装置に備えられた洗浄ノズルの斜視図である。
【図３】図２の洗浄ノズルの分解斜視図である。
【図４】図２の洗浄ノズルのＡ−Ａ断面図である。
【図５】図２の洗浄ノズルのＢ−Ｂ断面図である。
【図６】図２の洗浄ノズルの配置されている状態を示す図である。
【図７】図１の洗浄装置で被洗浄物を洗浄している状態を示す図である。
【図８】本発明の第２の実施の形態に係る洗浄装置の正面図である。
【図９】図８の洗浄装置に備えられた洗浄ノズルの斜視図である。
【図１０】図９の洗浄ノズルの分解斜視図である。
【図１１】図９の洗浄ノズルのＡ−Ａ断面図である。
【図１２】図９の洗浄ノズルのＢ−Ｂ断面図である。
【図１３】図９の洗浄ノズルの配置されている状態を示す図である。
【発明を実施するための形態】
【００１４】
本発明の第１の実施の形態に係る洗浄装置１を図１から図７にしたがって説明する。
図１において符号３は装置本体を示し、この装置本体３はケース１０３を備えている。ケース１０３内には支持ボックス１０１が備えられており、この支持ボックス１０１はケース１０３の天板１０３ａから吊り下げられた状態で備えられている。
支持ボックス１０１の下面（図２、図３では下面が上側を向いている。）には開口１０５が形成されており、開口１０５は４箇所（図３では１箇所のみを示す。）に設けられている。また支持ボックス１０１の上面（図２、図３では上面が下側を向いている。）には、開口１０５に対向する開口１０９が形成されている。開口１０５、１０９の周囲には雌ネジ孔１０７、１１１が形成されている。
即ち、支持ボックス１０１には、開口１０５、開口１０９、雌ネジ孔１０７及び雌ネジ孔１１１を一組とするノズル取付部１１２が四組設けられている。
【００１５】
四組のノズル取付部１１２には、洗浄ノズル５が下向きにそれぞれ取り付けられている。４つの洗浄ノズル５については、各洗浄ノズル５を区別するため便宜的に５ａ、５ｂ、５ｃ、５ｄを付すこととする。洗浄ノズル５ａと５ｂは同じ構成であり、また洗浄ノズル５ｃ、５ｄは洗浄ノズル５ａとほぼ同様の構成を有しているので、代表例として洗浄ノズル５ａの構成について説明し、洗浄ノズル５ｂ、５ｃ、５ｄの同じ構成部分について同じ符号を付すことで説明を省略する。
洗浄ノズル５ａは固定ベース部７、支持ケース部９、一対のボールベアリング１１、ノズル本体１３、プレート部１５、取付板１６及び蓋体１７によって構成されている。
【００１６】
固定ベース部７の構成について説明する。
符号２１は矩形の固定板を示し、この固定板２１の一方側の面（図３において上面）には支持ブロック２３が固定されている。また、固定板２１と支持ブロック２３には貫通孔２５が形成されており、この貫通孔２５には給水管２７が挿通された状態で固定されている。
また、固定板２１の四隅にはネジ挿通孔３１がそれぞれ形成されている。
【００１７】
支持ケース部９の構成について説明する。
符号４１はカバー部を示し、このカバー部４１は短寸法の円筒状に形成されている。カバー部４１は一方側（図３において上側）が開口しており、他方側には底板４１ａが形成されている。この底板４１ａの中心部には円筒管４３が貫通する状態で連結されており、円筒管４３の一端部（図３において上端部）は僅かに底板４１ａから突出している。円筒管４３の他端部には矩形の固定板４５が取り付けられており、この固定板４５には円筒管４３に連通する開口４７（図４参照）が形成されている。
また、固定板４５の四隅にはネジ挿通孔４９がそれぞれ形成されている。
【００１８】
ノズル本体１３の構成について説明する。
符号５１は円筒管を示し、この円筒管５１の一端部側の外周面（図３において上端部側の外周面）には一対のパイプ５５が取り付けられている。一対のパイプ５５の基端部は円筒管５１の外周面を貫通して円筒管５１の内部と連通している。また一対のパイプ５５の先端部は、先端側開口であるエアー噴射口５７が図６において時計回りの方向を向き、且つ図３において斜め上方（図１において斜め下方）を向くように曲げられている。
【００１９】
また、円筒管５１の一端側開口は閉鎖板６１によって閉鎖されており、この閉鎖板６１の中心部には穴６３が形成されている。閉鎖板６１には４つの雌ネジ孔６５が形成されている。
円筒管５１の外周部にはカバー部５３が取り付けられ、このカバー部５３は一対のパイプ５５よりも僅かに他端側に備えられている。
【００２０】
プレート部１５の構成について説明する。
符号７１は平板状の主部を示し、この主部７１の長手方向の両端は円弧状にそれぞれ形成されている。主部７１の一方側（図３において上側）の面中央には凹部７３が形成され、この凹部７３の底面には貫通孔７５が形成されている。また、貫通孔７５の周囲にはネジ挿通孔７７が形成されている。
【００２１】
また、主部７１の一方側の面には一対の水路溝７９が形成されており、この水路溝７９は凹部７３の長手方向両側に延びている。そして、一対の水路溝７９は凹部７３に連通している。
更に、主部７１の一方側の面には、凹部７３と水路溝７９を囲うシール溝８１が形成されており、このシール溝８１の周囲には雌ネジ孔８３が形成されている。
符号７６は中心に貫通孔７８が形成されたブロックを示し、このブロック７６は凹部７３の貫通孔７５に収容される。
【００２２】
取付板１６の構成について説明する。
取付板１６は円盤状を為しており、この取付板１６はプレート部１５の凹部７３に入る大きさに形成されている。取付板１６には穴８７が形成されている。また取付板１６にはネジ挿通孔８９が形成されている。
【００２３】
蓋体１７の構成について説明する。
蓋体１７は円盤状を為しており、この蓋体１７には長円形の一対の穴９３が形成されている。一対の穴９３はノズル本体１３のパイプ５５のエアー噴射口５７に対応して配置されている。
蓋体１７には、円形の穴から成る一対の水噴射口９５が形成されており、水噴射口９５どうしは互いに離間して蓋体１７の縁部近傍に配置されている。
また、蓋体１７にはネジ挿入孔９９が形成されている。
回転ヘッド１１５はノズル本体１３、プレート部１５、取付板１６および蓋体１７によって構成されている。
【００２４】
洗浄ノズル５ａは図４、図５に示すように組み立てられている。
固定ベース７は支持ボックス１０１の上面（図４では上面が下側を向いている。）に当接させられる。この状態でネジ１１３によって固定ベース７が支持ボックス１０１に固定されている。
支持ブロック２３は開口１０９から支持ボックス１０１へ入り込み、また給水管２７は支持ボックス１０１内を通って開口１０５から突出している。
【００２５】
支持ケース部９は支持ボックス１０１の下面（図４では下面が上側を向いている。）に備えられており、ネジ１１３によって支持ケース部９が支持ボックス１０１に固定されている。
ボールベアリング１１のステータ側１１ａは支持ケース部９の円筒管４３に固定され、ロータ側１１ｂはノズル本体１３の円筒管５１に固定されており、ステータ側１１ａとロータ側１１ｂとの間にはボール１１ｃが介装されている。従って、ノズル本体１３は支持ケース部９に対し回転自在に支持されている。
ノズル本体１３のカバー部５３は円筒管４３の上端部を覆っている。
また、給水管２７は円筒管５１と穴６３を通り、その先端部は穴６３から突出している。
【００２６】
ノズル本体１３にはプレート部１５が取り付けられ、また貫通孔７５に収容されたブロック７６は閉鎖板６１に設置される。
更に、プレート部１５はノズル本体１３に対しネジ１１３によって固定され、また取付板１６は凹部７３の底面に対しネジ１１３によって固定される。
上記給水管２７はブロック７６の貫通孔７８を通り、その先端部は取付板１６の穴８７に到達している。
【００２７】
蓋体１７はプレート部１５を覆うように備えられ、ネジ１１３によって蓋体１７がプレート部１５に固定されている。また、シール溝８１にはシール材９７が備えられており、このシール材９７が蓋体１７に密着して、後述する凹部７３、水路溝７９に流れる水が漏出しないようになっている。
また、一対のパイプ５５の先端部は穴９３から僅かに突出している。
前述したようにノズル本体１３は支持ケース部９に対し回転自在に支持されているため、ノズル本体１３と共にプレート部１５、取付板１６および蓋体１７が回転するようになっている。即ち回転ヘッド１１５は支持ケース部９に対し回転自在に支持されている。
【００２８】
図６に示すように洗浄ノズル５ｃ、５ｄの一対のパイプ５５の先端部は、洗浄ノズル５ａ、５ｂとは逆に、エアー噴射口５７が図６において反時計回りの方向を向くように曲げられている。
４つの洗浄ノズル５は千鳥状に配置されており、洗浄ノズル５ａ、５ｃは後述する被洗浄物してのコンテナＣの搬送方向（図６において左右方向）に直列配置され、洗浄ノズル５ｂ、５ｄもコンテナＣの搬送方向に直列配置されている。即ち、搬送方向に対して二列に並列配置されている。並列方向では、洗浄ノズル５ａ、５ｃと洗浄ノズル５ｂ、５ｄは、回転ヘッド１１５の端部側が重なりながら互い違いになっている。従って、洗浄ノズル５ａ、５ｂ、５ｃ、５ｄの各洗浄領域は重なり合っており、搬送されてくるコンテナＣを完全にカバーしている。
【００２９】
図１において符号１２１はエアー供給管を示し、このエアー供給管１２１の一端部は支持ボックス１０１に接続されている。エアー供給管１２１の他端部は図示しないエアー用ポンプに接続されている。
エアー供給手段は支持ボックス１０１、エアー供給管１２１及びエアー用ポンプによって構成されている。
符号１２３は給水ホースを示し、この給水ホース１２３の一端部は分岐されて洗浄ノズル５の給水管２７の基端部にそれぞれ接続されている。給水ホース１２３の他端部は図示しない水用ポンプに接続されている。
水供給手段は給水ホース１２３と水用ポンプとによって構成されている。
【００３０】
図１において符号１３１は左右方向に延びるコンベアを示し、このコンベア１３１は洗浄ノズル５の下側を通過するように配置されている。コンベア１３１には載置台１３３が取り付けられている。
ケース１０３の左側板１０３ｂには出入口１３５が形成されており、この出入口１３５からコンテナＣを出し入れすることができるようになっている。
【００３１】
次に、洗浄装置１の動作について説明する。
洗浄装置１の図示しないスイッチを入れるとエアー用ポンプが作動し、エアーがエアー供給管１２１、支持ボックス１０１に流れて洗浄ノズル５に供給される。そして洗浄ノズル５に供給されたエアーが図５の矢印に示すようにノズル本体１３の円筒管５１、パイプ５５に流れて、エアー噴射口５７から噴射される。
また、水用ポンプが作動し、水が給水ホース１２３に流れて洗浄ノズル５に供給される。そして洗浄ノズル５に供給された水が図４の矢印に示すように給水管２７、凹部７３、水路溝７９に流れて、水噴射口９５から噴射される。
【００３２】
エアー噴射口５７から噴射されたエアーにより、図６の矢印に示すように洗浄ノズル５ａ、５ｂの回転ヘッド１１５が反時計回りの方向に回転し、洗浄ノズル５ｃ、５ｄの回転ヘッド１１５が時計回りの方向に回転する。即ち、搬送方向に隣り合う洗浄ノズル５ａ、５ｃまたは洗浄ノズル５ｂ、５ｄの回転ヘッド１１５は互いに異なる方向に回転する。
【００３３】
回転ヘッド１１５が回転すると、一対のパイプ５５のエアー噴射口５７が円形の軌道ｘを描くように移動するので、洗浄ノズル５の下側に渦状の気流が発生する。そして、水噴射口９５から噴射された水は、この渦状の気流に巻き込まれる。従って、水は渦巻状に噴射されることになる。回転ヘッド１１５が回転することによってエアー噴射口５７が描く円形の軌道ｘに囲まれた領域内に水噴射口９５が配置されているので、水噴射口９５から噴射された水は、渦状の気流に確実に巻き込まれる。なお、ここでエアー噴射口５７が描く円形の軌道ｘに囲まれた領域内とは、エアー噴射口５７が描く円形の軌道ｘ上を含む領域をいう。
【００３４】
コンベア１３１が作動して、載置台１３３に載せられたコンテナＣが図１において実線で示す位置から右方向に搬送されて、コンテナＣが洗浄される。洗浄ノズル５の下側の領域に水が渦状となって噴射されるので、コンテナＣが洗浄ノズル５の下側を通るときには、図７に示すようにコンテナＣの内側の底面や側面に多方向から水がかなりの勢いをもって、且つ断続的に衝突する。従って、コンテナＣに付着した油等の汚れを確実に除去することができる。
【００３５】
また、前述したように搬送方向に隣り合う洗浄ノズル５ａ、５ｃまたは洗浄ノズル５ｂ、５ｄの回転ヘッド１１５は互いに異なる方向に回転するため、これらの洗浄ノズル５ａ、５ｃまたは洗浄ノズル５ｂ、５ｄの下側には互いに逆回転となる渦状に水が噴射される。従って、コンテナＣの内側の底面や側面に多方向から水を確実に当てることができる。
しかも、洗浄ノズル５ａ、５ｃと洗浄ノズル５ｂ、５ｄの一部どうしが互いにコンテナＣの搬送方向に交差する方向において重なって配置されているので、洗浄ノズル５ａ、５ｃと洗浄ノズル５ｂ、５ｄとの境界部分におけるコンテナＣの洗い残しを完全に防止することができる。
【００３６】
コンテナＣ等の被洗浄物に多方向から水を衝突させることができるため、被洗浄物に付着した防錆剤、切削油、切削屑等の汚れに対して衝撃を与えることができる。これにより水噴射口９５から噴射される水の圧力をそれほど高くしなくても、被洗浄物に付着した汚れを十分に除去できる。従って、高価な高水圧用ポンプを設ける必要がない。
【００３７】
次に、水用ポンプが停止し、水噴射口９５から噴射されていた水を止める。なおエアー用ポンプは作動状態のままである。そして載置台１３３に載せられたコンテナＣが図１において仮想線で示す位置から左方向に搬送されて、コンテナＣが乾燥させられる。前述したように洗浄ノズル５の下側には渦状の気流が発生しているため、コンテナＣが洗浄ノズル５の下側を通るときには、図７に示すようにコンテナＣの内側の底面等に多方向からエアーが当たる。従って、洗浄によってコンテナＣに付着した水を確実に除去することができる。
【００３８】
エアー噴射口５７から噴射されるエアーは洗浄ノズル５内等で圧縮されて高温になるので、このエアーによって搬送された水は温まる。従って、水を加熱するためのヒーターを設ける必要がない。
また、エアー噴射口５７から噴射されるエアーを、被洗浄物の洗浄と被洗浄物の乾燥とに兼用しているため、別途乾燥装置を設ける必要がない。
上記したように洗浄装置１は乾燥装置、高水圧用ポンプ及びヒーターを設ける必要がないため、コストを低く抑えることが可能となる。
【００３９】
本発明の第２の実施の形態に係る洗浄装置２０１を図８から図１３にしたがって説明する。
第１の実施の形態に係る洗浄装置１と殆ど同様な構成を有するので、同様な構成部分には同じ符号を付すことで説明を省略し、異なる点について以下で説明する。
この洗浄装置２０１では回転ヘッド２０３に、プレート部に相当するものが設けられていない。円筒管５１の開口を閉鎖する閉鎖板６１の穴６３には、両端が開口した連結管２０５の上端側（図１１、１２では上端側が下側を向いている。）が圧入されている。連結管２０５の下端面は閉鎖板２０７によって閉鎖固定されており、閉鎖板２０７と蓋体１７がネジ止めされて一体になっている。
【００４０】
符号２０９、２０９は一対の給水パイプを示し、互いに対向して設けられている。各給水パイプ２０９の一端は連結管２０５と接続しており、連結管２０５から水平方向外方に延びた後屈曲し下方に向かって延びている。そして、図９に示すように、連結管２０５は蓋体１７の穴２１１を貫通して下方に突出している。従って、水噴出口２１３は下方に突き出ている。
洗浄装置２０１では、水用ポンプが作動し、水が給水ホース１２３に流れて洗浄ノズル５に供給される。そして洗浄ノズル５に供給された水が図１１の矢印に示すように給水管２７、連結管２０５、給水パイプ２０９に流れて、水噴射口２１３から噴射される。
【００４１】
また、各洗浄ノズル５のエアー噴射口５７の向きが洗浄装置１とは異なっている。図１３に示すように洗浄ノズル５ａ、５ｄはエア噴出口５７が反時計回りの方向を向くように曲げられ、洗浄ノズル５ｂ、５ｃは時計回りの方向を向くように曲げられている。
その他、支持ボックス１０１内側にはナット２１５が配されてボルトナット締結されている等、細かい相違点はあるが作用は実質的に変わらない。
この実施の形態に係る洗浄装置２０１も、第１の実施の形態に係る洗浄装置１と同じように、水噴射口２１３から噴射された水は、渦状の気流に巻き込まれる。従って、水は渦巻状に噴射されることになる。
【００４２】
以上、本発明の実施の形態について詳述してきたが、具体的構成は、この実施の形態に限られるものではなく、本発明の要旨を逸脱しない範囲における設計の変更などがあっても発明に含まれる。
上記実施の形態は、洗浄ノズル５を下向きに備えたが、洗浄ノズル５を上向きまたは横向きに備えてもよい。この場合には支持ボックス１０１の向きも変更する。
上記実施の形態は、洗浄装置１に４つの洗浄ノズル５を備えたが、洗浄ノズル５の数を適宜変更してもよい。また４つの洗浄ノズル５を千鳥状に配置したが、洗浄ノズル５の配置箇所を適宜変更してもよい。
【００４３】
上記第１の実施の形態は、エアー噴射口５７と水噴射口９５とをそれぞれ一対ずつ設けたが、エアー噴射口５７と水噴射口９５の数を適宜変更してもよい。
上記実施の形態は、被洗浄物をコンテナＣとしたが、コンテナＣに限られず、被洗浄物を機械部品等にしてもよい。上記したように被洗浄物に多方向から水を衝突させることができるため、機械部品等に形成された雌ネジ穴の内周面のようなところもしっかり洗浄することができる。
【産業上の利用可能性】
【００４４】
本発明はコンテナや機械部品等の被洗浄物を洗浄するための洗浄ノズル及びこの洗浄ノズルを備えた洗浄装置の製造業に利用可能である。
【符号の説明】
【００４５】
１…洗浄装置（第１の実施の形態）      ３…装置本体
５（５ａ、５ｂ、５ｃ、５ｄ）…洗浄ノズル      ７…固定ベース部
９…支持ケース部      １１…ボールベアリング
１１ａ…ステータ側      １１ｂ…ロータ側      １１ｃ…ボール
１３…ノズル本体      １５…プレート部      １６…取付板
１７…蓋体
２１…固定板      ２３…支持ブロック      ２５…貫通孔
２７…給水管      ３１…ネジ挿通孔
４１…カバー部      ４１ａ…底板      ４３…円筒管
４５…固定板      ４７…開口      ４９…ネジ挿通孔
５１…円筒管      ５３…カバー部      ５５…パイプ
５７…エアー噴射口      ６１…閉鎖板      ６３…穴
６５…雌ネジ孔
７１…主部      ７３…凹部      ７５…貫通孔
７６…ブロック      ７７…ネジ挿通孔      ７８…貫通孔
７９…水路溝      ８１…シール溝      ８３…雌ネジ孔
８７…穴      ８９…ネジ挿通孔
９３…穴      ９５…水噴射口      ９７…シール材
９９…ネジ挿入孔
１０１…支持ボックス      １０３…ケース
１０３ａ…天板      １０３ｂ…左側板      １０５、１０９…開口
１０７、１１１…雌ネジ孔      １１２…ノズル取付部      １１３…ネジ
１１５…回転ヘッド      １２１…エアー供給管      １２３…給水ホース
１３１…コンベア      １３３…載置台      １３５…出入口
２０１…洗浄装置（第２の実施の形態）      ２０３…回転ヘッド
２０５…連結管      ２０７…閉鎖板      ２０９…給水パイプ
２１１…（蓋体の）穴      ２１３…水噴出口      ２１５…ナット
Ｃ…コンテナ
【図１】
2011020077.tif 000003
【図２】
2011020077.tif 000004
【図３】
2011020077.tif 000005
【図４】
2011020077.tif 000006
【図５】
2011020077.tif 000007
【図６】
2011020077.tif 000008
【図７】
2011020077.tif 000009
【図８】
2011020077.tif 000010
【図９】
2011020077.tif 000011
【図１０】
2011020077.tif 000012
【図１１】
2011020077.tif 000013
【図１２】
2011020077.tif 000014
【図１３】
2011020077.tif 000015